(57)【特許請求の範囲】
【請求項１】
廃棄物処理設備に横に隣接して設けられ、下部に焼却灰処分室を具備すると共に上部に焼却灰受入空間を具備する焼却灰最終処理設備と、
一端が前記廃棄物処理設備に連絡し、他端が前記焼却灰最終処理設備の一側側壁を貫通して前記焼却灰受入空間内に進入した焼却灰搬入コンベヤと、
前記焼却灰最終処理設備内に配設され、前記焼却灰搬入コンベヤによって搬入された焼却灰を前記焼却灰処分室内の任意の位置まで移送する焼却灰移送手段とを具備し、
前記焼却灰移送手段は、前記焼却灰搬入コンベヤによって搬入された前記焼却灰を焼却灰貯留袋に充填する焼却灰充填装置と、
前記焼却灰貯留袋を前記任意の位置まで移送し、降荷する袋吊下用クレーンとを備えたことを特徴とする焼却灰の最終処理システム。
【発明の詳細な説明】
【０００１】
【発明の属する技術分野】
本発明は、廃棄物処理設備における溶融炉や焼却炉及び灰溶融炉等から発生する燃えがらや無害化処理したばいじん等の焼却灰の最終処理システムに関する。
【０００２】
【従来の技術】
廃棄物処理設備において、溶融炉や焼却炉及び灰溶融炉等から発生するばいじんは重金属を含むので、そのまま廃棄処理することができず、無害化処理した後、最終処分場へ搬送し、処分している。そして、最終処分場への搬送は専らダンプトラック等の車両を用いて行っている。
【０００３】
【発明が解決しようとする課題】
しかし、上記した燃えがらやばいじんの最終処理システムは、未だ、以下の解決すべき課題を有していた。
即ち、車両による搬送は、処分場が処理物発生場所に近接している場合、不経済であるばかりでなく、搬送途中において粉塵が外部に飛散し、環境汚染を引き起こすおそれがある点からも問題を有していた。
【０００４】
本発明は、このような事情に鑑みなされたものであり、焼却灰を焼却灰搬入コンベヤを用いて直接最終処分場へ搬入し処分することができ、搬送作業を効率的に行うことができると共に、粉塵の発生もなく、無公害化を図ることができる焼却灰の最終処理システムを提供することを目的とする。
【０００５】
【課題を解決するための手段】
前記目的に沿う請求項１記載の焼却灰の最終処理システムは、廃棄物処理設備に横に隣接して設けられ、下部に焼却灰処分室を具備すると共に上部に焼却灰受入空間を具備する焼却灰最終処理設備と、一端が前記廃棄物処理設備に連絡し、他端が前記焼却灰最終処理設備の一側側壁を貫通して前記焼却灰受入空間内に進入した焼却灰搬入コンベヤと、前記焼却灰最終処理設備内に配設され、前記焼却灰搬入コンベヤによって搬入された焼却灰を前記焼却灰処分室内の任意の位置まで移送する焼却灰移送手段とを具備し、前記焼却灰移送手段は、前記焼却灰搬入コンベヤによって搬入された前記焼却灰を焼却灰貯留袋に充填する焼却灰充填装置と、前記焼却灰貯留袋を前記任意の位置まで移送し、降荷する袋吊下用クレーンとを備えている。
【０００９】
【発明の実施の形態】
続いて、添付した図面を参照しつつ、本発明を具体化した実施の形態につき説明し、本発明の理解に供する。
（第１の実施の形態）
図１及び図２を参照して、本発明の第１の実施の形態に係る焼却灰の最終処理システムＡを説明する。なお、本実施の形態は、以下に説明するように、焼却灰移送手段を、焼却灰貯留袋１９と、第１〜第３の袋吊下用クレーン３７、２４、２０によって構成したことを特徴とする（図２参照）。
【００１０】
図示するように、廃棄物処理設備１０に隣接して焼却灰最終処理設備１１が設けられている。
廃棄物処理設備１０の具体的構成は図示されていないが、一般に、廃棄物処理設備１０は、その内部に溶融炉や焼却炉及び灰溶融炉を具備すると共に、これらの炉から発生するばいじんを無害化する無害化処理装置を具備する。なお、ばいじんの無害化処理は、通常、溶融固化、セメント固化、薬剤処理、酸抽出処理等によって行われる。
【００１１】
次に、焼却灰最終処理設備１１の構成について、以下、詳細に説明する。
図１及び図２に示すように、焼却灰最終処理設備１１は、主構築物１２と、主構築物１２上に構築される附帯構築物１３とから構成され、主構築物１２はその一部又は全部が地中に埋設されている。
まず、主構築物１２について説明すると、密閉箱体構造を有するコンクリート製のピット１４が埋設されており、ピット１４内には焼却灰処分室１５が形成されている。焼却灰処分室１５の中間位置には、中間ステージ１６が全幅にわたって架設されている。
【００１２】
焼却灰処分室１５は、横方向（ピット幅方向）に、４つの焼却灰処分空間１７に区画形成されている。各焼却灰処分空間１７の上方には、横行レール１８が配設されており、横行レール１８には、焼却灰貯留袋１９を横方向に移動すると共に上下方向に昇降することができる第３の袋吊下用クレーン２０が取付けられている。
焼却灰処分室１５の上部には、その全幅にわたって天井梁２１が架設されている。そして、横行レール１８は、紙面と直交する方向で天井梁２１に取付けられた走行レール２２に、縦方向（ピット長手方向）に移動自在に取付けられている。
【００１３】
中間ステージ１６と天井梁２１との間には、焼却灰処分室１５の略全幅にわたって伸延する横行レール２３が架設されており、横行レール２３には、後述する第１の袋吊下用クレーン３７により中間ステージ１６上に移送されてきた焼却灰貯留袋１９を、各焼却灰処分空間１７の上方に水平移送することができる第２の袋吊下用クレーン２４が取付けられている。
【００１４】
次に、附帯構築物１３の構成について説明すると、コンクリート製の囲繞壁構造２５の内部には焼却灰受入空間２６が形成されている。一端を廃棄物処理設備１０に連絡する焼却灰搬入コンベヤ２７の他端が囲繞壁構造２５の一側側壁を貫通して焼却灰受入空間２６内に進入している。具体的には、焼却灰搬入コンベヤ２７の他端は、焼却灰受入空間２６内に配設された焼却灰充填装置の一例である二股シュート２８の上部流入部に位置している。二股シュート２８は、その下端に２つの流出口２９、３０を有すると共に、その上部流入部に流路切換ダンパー３１を有する。
二股シュート２８の下方をなす天井梁２１上には、それぞれロードセル３２、３３を具備する貯留袋載置台３４、３５が設置されている。各貯留袋載置台３４、３５上には、焼却灰貯留袋１９が載置されており、その上部開口は二股シュート２８の２つの流出口２９、３０に位置している。
【００１５】
焼却灰受入空間２６の上部には横行レール３６が架設されており、横行レール３６には、焼却灰貯留袋１９を水平移動することができると共に、上下方向に昇降できる第１の袋吊下用クレーン３７が取付けられている。
焼却灰受入空間２６の一側部にはバグフィルタユニット３８が配置されており、その流入口３９は二股シュート２８と吸引ダクト３９ａを介して連通連結されている。
【００１６】
次に、上記した構成を有する焼却灰の最終処理システムＡによる焼却灰の最終処理作業について説明する。
【００１７】
廃棄物処理設備１０における燃えがらや無害化処理装置によって無害化されたばいじんを、焼却灰搬入コンベヤ２７を用いて連続的に二股シュート２８に投入する。二股シュート２８に設けた流路切換ダンパー３１を作動して、２つの流出口２９、３０を通して、焼却灰を、順に、貯留袋載置台３４、３５上の焼却灰貯留袋１９内に充填する。
【００１８】
第１の袋吊下用クレーン３７を用いて焼却灰貯留袋１９を貯留袋載置台３４、３５から吊り上げ、水平移動した後、下降して、中間ステージ１６上に移送し、降荷する。
【００１９】
第２の袋吊下用クレーン２４を用いて焼却灰貯留袋１９を４つの焼却灰処分空間１７のいずれかに水平移動した後、再度、中間ステージ１６上に降荷する。
第３の袋吊下用クレーン２０に焼却灰貯留袋１９を積み替えた後、焼却灰貯留袋１９を下降すると共に、所定距離、水平移動することによって、任意の位置へ焼却灰貯留袋１９を移動し、降荷することによって、処分作業を完了する。
【００２０】
上記した作業を繰り返すことによって、焼却灰を、廃棄物処理設備１０から焼却灰最終処理設備１１に焼却灰搬入コンベヤ２７を用いて円滑に搬送すると共に、多数の焼却灰貯留袋１９を用いることによって、効率的に、焼却灰処分室１５内で処分することができる。
また、焼却灰は、廃棄物処理設備１０から焼却灰最終処理設備１１に焼却灰搬入コンベヤ２７を用いて直接搬送されるので、ダンプトラック等を用いた場合と異なり、焼却灰が外部に飛散するのを確実に防止することができ、焼却灰の最終処理の無公害化を図ることができる。
【００２１】
（第２の実施の形態）
図３を参照して、本発明の第２の実施の形態に係る焼却灰の最終処理システムＡ１を説明する。なお、本実施の形態は、以下に説明するように、焼却灰移送手段を、バンカー４７とバンカー吊支クレーン４６ａによって構成したことを特徴とする（図３参照）。
【００２２】
図３に示すように、廃棄物処理設備（図示せず）に隣接して焼却灰最終処理設備４０が設けられている。
【００２３】
焼却灰最終処理設備４０は、主構築物４１と、主構築物４１上に構築される附帯構築物４２とから構成され、主構築物４１はその一部又は全部が地中に埋設されている。
まず、主構築物４１について説明すると、地中に密閉箱体構造を有するコンクリート製のピット４３が埋設されており、ピット４３内には焼却灰処分室４４が形成されている。
焼却灰処分室４４の天井壁４５の下方には、水平方向に、全幅にわたって横行レール４６が架設されており、横行レール４６には容器吊下用クレーンの一例であるバンカー吊支クレーン４６ａが横方向に移動自在に取付けられており、バンカー吊支クレーン４６ａには、焼却灰受載容器の一例である底部を開閉自在なバンカー４７が吊支されている。
【００２４】
次に、附帯構築物４２の構成について説明すると、コンクリート製の囲繞壁構造４８の内部には焼却灰受入空間４９が形成されている。一端を廃棄物処理設備に連絡する焼却灰搬入コンベヤ５０の他端が囲繞壁構造４８の一側側壁を貫通して焼却灰受入空間４９内に進入している。具体的には、焼却灰搬入コンベヤ５０の他端は、焼却灰受入空間４９内に傾斜状態に配設された第１の中間コンベヤ５１の上部流入部に位置している。第１の中間コンベヤ５１の下流側端は、同様に焼却灰受入空間４９内に配設されかつ天井壁４５上に載置され、ロードセル５２ａを具備する第２の中間コンベヤ５２の上流側端に連通連結されている。そして、第２の中間コンベヤ５２の下流側端は、バンカー４７内に焼却灰５３を落下するため天井壁４５の一側に垂直状態に設けられた焼却灰落下筒５４に連通連結されている。
【００２５】
第１の中間コンベヤ５１の上部流入部には流路切換ダンパー５５を介して補助シュート５６が連通連結されており、補助シュート５６の先端は焼却灰処分室４４まで伸延している。
焼却灰受入空間４９の一側部にはバグフィルタユニット５７が配置されており、その流入口５８は第１の中間コンベヤ５１の上部流入部に吸引ダクト５９を介して連通連結されている。
【００２６】
次に、上記した構成を有する焼却灰の最終処理システムＡ１による焼却灰５３の最終処理作業について説明する。
【００２７】
廃棄物処理設備における無害化処理装置によって無害化された焼却灰５３を、焼却灰搬入コンベヤ５０を用いて連続的に第１の中間コンベヤ５１に投入する。焼却灰５３を第１の中間コンベヤ５１から第２の中間コンベヤ５２に移送し、焼却灰落下筒５４を通して、焼却灰落下筒５４の直下に配置されているバンカー４７内に所定量投入する。
【００２８】
バンカー４７を横行レール４６に沿って水平移動し、所定の位置でバンカー４７を開口することによって、その内部に一時的に貯留されていた焼却灰５３を焼却灰処分室４４内の任意の位置で落下し、処分作業を完了する。
上記した作業を繰り返すことによって、無害化された焼却灰５３を、廃棄物処理設備から焼却灰最終処理設備４０に焼却灰搬入コンベヤ５０を用いて円滑に搬送すると共に、バンカー４７を用いて、効率的に、焼却灰処分室４４内に焼却灰５３を処分することができる。
【００２９】
また、無害化された焼却灰５３は、廃棄物処理設備から焼却灰最終処理設備４０に焼却灰搬入コンベヤ５０を用いて直接搬送されるので、ダンプトラック等を用いた場合と異なり、焼却灰５３が外部に飛散するのを確実に防止することができ、焼却灰５３の最終処理の無公害化を図ることができる。
【００３０】
（第３の実施の形態）
図４を参照して、本発明の第３の実施の形態に係る焼却灰の最終処理システムＡ２を説明する。なお、本実施の形態は、以下に説明するように、焼却灰移送手段を、第１及び第２の焼却灰移送コンベヤ６９、７０によって構成したことを特徴とする。
【００３１】
図４に示すように、廃棄物処理設備（図示せず）に隣接して焼却灰最終処理設備６０が設けられている。
【００３２】
焼却灰最終処理設備６０は、主構築物６１と、主構築物６１上に構築される附帯構築物６２とから構成され、主構築物６１は地中に埋設されている。
まず、主構築物６１について説明すると、地中に密閉箱体構造を有するコンクリート製のピット６３が埋設されており、ピット６３内には焼却灰処分室６４が形成されている。
【００３３】
焼却灰処分室６４の天井壁６５の下方には、水平方向に、全幅にわたって、仕切り壁６６が配設されており、仕切り壁６６には複数の焼却灰投入口６７が水平方向に一定の間隔をあけて形成されており、焼却灰投入口６７は、それぞれ、開閉蓋６８を具備する。
また、天井壁６５と仕切り壁６６の間には、第１及び第２の焼却灰移送コンベヤ６９、７０が配設されており、無端チェンに多数の平板を取付けたスクレーパコンベヤから構成されている。
【００３４】
次に、附帯構築物６２の構成について説明すると、コンクリート製の囲繞壁構造７１の内部には焼却灰受入空間７２が形成されている。一端を廃棄物処理設備に連絡する焼却灰搬入コンベヤ７３の他端が囲繞壁構造７１の一側側壁を貫通して焼却灰受入空間７２内に進入している。具体的には、焼却灰搬入コンベヤ７３の他端は、焼却灰受入空間７２内に傾斜状態に配設された第１の中間コンベヤ７４の上部流入部に位置している。第１の中間コンベヤ７４の下流側端は、同様に焼却灰受入空間７２内に配設されかつ天井壁６５上に載置され、ロードセル７５ａを具備する第２の中間コンベヤ７５の上流側端に連通連結されている。そして、第２の中間コンベヤ７５の下流側端は、第１の焼却灰移送コンベヤ６９の始端に焼却灰７６を落下するため天井壁６５の一側に垂直状態に設けられた焼却灰落下筒７７に連通連結されている。
【００３５】
第１の中間コンベヤ７４の上部流入部には流路切換ダンパー７８を介して補助シュート７９が連通連結されており、補助シュート７９の先端は焼却灰処分室６４まで伸延し、焼却灰投入口６７に連通連結されている。
焼却灰受入空間７２の一側部にはバグフィルタユニット８０が配置されており、その流入口８１は第１の中間コンベヤ７４の上部流入部に吸引ダクト８２を介して連通連結されている。
【００３６】
次に、上記した構成を有する焼却灰の最終処理システムＡ２による焼却灰７６の最終処理作業について説明する。
【００３７】
廃棄物処理設備における燃えがらや無害化処理装置によって無害化された焼却灰７６を、焼却灰搬入コンベヤ７３を用いて連続的に第１の中間コンベヤ７４に投入する。焼却灰７６を、第１の中間コンベヤ７４から第２の中間コンベヤ７５に移送し、焼却灰落下筒７７を通して、焼却灰落下筒７７の直下に配置されている第１の焼却灰移送コンベヤ６９に移載する。
焼却灰７６を、第１の焼却灰移送コンベヤ６９から第２の焼却灰移送コンベヤ７０に移載し、焼却灰７６を任意の位置の開蓋状態の焼却灰投入口６７を通して、下方に向けて落下し、処分作業を完了する。
【００３８】
上記した作業を繰り返すことによって、焼却灰７６を、廃棄物処理設備から焼却灰最終処理設備６０に焼却灰搬入コンベヤ７３を用いて円滑に搬送すると共に、第１及び第２の焼却灰移送コンベヤ６９、７０を用いて、効率的に、焼却灰処分室６４内に焼却灰７６を処分することができる。
また、焼却灰７６は、廃棄物処理設備から焼却灰最終処理設備６０に焼却灰搬入コンベヤ７３を用いて直接搬送されるので、ダンプトラック等を用いた場合と異なり、焼却灰７６が外部に飛散するのを確実に防止することができ、焼却灰の最終処理の無公害化を図ることができる。
【００３９】
以上、本発明を、第１〜第３の実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。
例えば、上記した実施の形態においては、焼却灰最終処理設備は、その一部のみが地中に埋設されているが、全部を地中に埋設することもでき、かつ、全部を地上に配置することもできる。なお、焼却灰最終処理設備の天井面を、例えば、コンクリート構造として構成することにより、天井面を廃棄物処理設備やストックヤード、その他の施設の土台として有効に活用できる。
【００４０】
【発明の効果】
請求項１記載の焼却灰の最終処理システムにおいては、燃えがらや無害化されたばいじん等の焼却灰を、廃棄物処理設備から焼却灰最終処理設備に焼却灰搬入コンベヤを用いて直接に搬送すると共に、焼却灰移送手段を用いて、効率的に、焼却灰処分室内で処分することができる。
また、焼却灰は、廃棄物処理設備から焼却灰最終処理設備に焼却灰搬入コンベヤを用いて直接搬送されるので、ダンプトラック等を用いた場合と異なり、焼却灰が外部に飛散するのを確実に防止することができ、焼却灰の最終処理の無公害化を図ることができる。
【００４１】
更に、焼却灰移送手段を、焼却灰を焼却灰貯留袋に充填する焼却灰充填装置と、焼却灰貯留袋を吊支かつ移動する袋吊下用クレーンとによって構成することによって、焼却灰を焼却灰処分室内で効率的に処分することができると共に、焼却灰最終処理設備内における粉塵の発生も効果的に防止することができる。また、乗り移り可能な袋吊下用クレーンによりクレーンを共用を図ることもできる。
【図面の簡単な説明】
【図１】本発明の第１の実施の形態に係る焼却灰の最終処理システムの斜視図である。
【図２】同側断面図である。
【図３】本発明の第２の実施の形態に係る焼却灰の最終処理システムの側断面図である。
【図４】本発明の第３の実施の形態に係る焼却灰の最終処理システムの側断面図である。
【符号の説明】
Ａ  焼却灰の最終処理システム        Ａ１  焼却灰の最終処理システム
Ａ２  焼却灰の最終処理システム
１０  廃棄物処理設備                １１  焼却灰最終処理設備
１２  主構築物                      １３  附帯構築物
１４  ピット                        １５  焼却灰処分室
１６  中間ステージ                  １７  焼却灰処分空間
１８  横行レール                    １９  焼却灰貯留袋
２０  第３の袋吊下用クレーン        ２１  天井梁
２２  走行レール                    ２３  横行レール
２４  第２の袋吊下用クレーン        ２５  囲繞壁構造
２６  焼却灰受入空間                ２７  焼却灰搬入コンベヤ
２８  二股シュート（焼却灰充填装置）
２９  流出口                        ３０  流出口
３１  流路切換ダンパー              ３２  ロードセル
３３  ロードセル                    ３４  貯留袋載置台
３５  貯留袋載置台                  ３６  横行レール
３７  第１の袋吊下用クレーン        ３８  バグフィルタユニット
３９  流入口                        ３９ａ  吸引ダクト
４０  焼却灰最終処理設備            ４１  主構築物
４２  附帯構築物                    ４３  ピット
４４  焼却灰処分室                  ４５  天井壁
４６  横行レール
４６ａ  バンカー吊支クレーン（容器吊下用クレーン）
４７  バンカー（焼却灰受載容器）    ４８  囲繞壁構造
４９  焼却灰受入空間                ５０  焼却灰搬入コンベヤ
５１  第１の中間コンベヤ            ５２  第２の中間コンベヤ
５２ａ  ロードセル                  ５３  焼却灰
５４  焼却灰落下筒                  ５５  流路切換ダンパー
５６  補助シュート                  ５７  バグフィルタユニット
５８  流入口                        ５９  吸引ダクト
６０  焼却灰最終処理設備            ６１  主構築物
６２  附帯構築物                    ６３  ピット
６４  焼却灰処分室                  ６５  天井壁
６６  仕切り壁                      ６７  焼却灰投入口
６８  開閉蓋                        ６９  第１の焼却灰移送コンベヤ
７０  第２の焼却灰移送コンベヤ      ７１  囲繞壁構造
７２  焼却灰受入空間                ７３  焼却灰搬入コンベヤ
７４  第１の中間コンベヤ            ７５  第２の中間コンベヤ
７５ａ  ロードセル                  ７６  焼却灰
７７  焼却灰落下筒                  ７８  流路切換ダンパー
７９  補助シュート                  ８０  バグフィルタユニット
８１  流入口                        ８２  吸引ダクト
【図１】
0003723345.tif 000002
【図２】
0003723345.tif 000003
【図３】
0003723345.tif 000004
【図４】
0003723345.tif 000005